(57)【要約】【課題】自動車の折りたたみ式シートのシートバックの背面に物入れ装置を設けて、シートバックの背面を利用すること。【解決手段】シートバック２の背面に固定する物入れ装置４の基板４１１の下半部にはカバー板４１４を設けてポケット部４１２を形成し、カバー板４１４には飲料容器挿入用の穴４１５を形成する、基板４１１の上半部には上端を基板４１１の上端に回動可能に連結した蓋体を設ける。シートバック起立時にはポケット部４１２と蓋体４３０内に物品を収納する。シートバック折りたたみ時には、蓋体４３０を前方へ回動させて、基板４１１とともに蓋体４３０を物置きとして利用する。【選択図】        図１
2004268866.tif 000002
【特許請求の範囲】
【請求項１】
自動車の折りたたみ式シートのシートバックの背面に設置する物入れ装置であって、シートバックの背面に固定する物入れ本体は、平板状の基板の左右の側縁および下縁に沿って基板の表面側を囲む周壁を形成するとともに、基板の下半部には上記周壁間にまたがるカバー板を設けて該カバー板と上記基板との間に上端が開口するポケット部を形成してなり、
上記基板の上半部には、上端が上記基板の上端に回動自在に連結されて上記上半部を覆う第１の位置と上記基板の上端から延出する第２の位置との間で回動可能な蓋体を設け、
上記蓋体は、上記第１の位置で上記カバー板とほぼ面一に上記基板を覆って該基板との間に上記ポケット部と連通する物品収納空間を形成し、上記シートバックを折りたたんだときに上記第２の位置で上記基板を延長する物品載置面を形成する構造としたことを特徴とする自動車用シートの物入れ装置。
【請求項２】
上記蓋体の周縁に沿って該蓋体を囲む縦縁部を形成するとともに、上記蓋体の少なくとも表面にこれを区画する仕切部を形成した請求項１記載の自動車用シートの物入れ装置。
【請求項３】
自動車の折りたたみ式シートのシートバックの背面に設置する物入れ装置であって、
シートバックの背面に固定する物入れ本体は、平板状の基板の左右の側縁および下縁に沿って基板を囲む周壁を形成するとともに、基板の下半部には上記周壁間にまたがるカバー板を設けて該カバー板と上記基板との間に上端が開口するポケット部を形成してなり、
上記物入れ本体はその基板を上記シートバックの背面と間隙をおいて対向させて上記シートに設置し、
上記基板の裏面に沿って平板状のテーブル板を、収納状態の第１の位置と上記基板の上端から延出する第２の位置との間で移動可能に設置し、
かつ上記テーブル板の上端には該テーブル板の表面側へ突出する突出部を設けて、該突出部に上記表面に沿い上記ポケット部と対向する方向に開口する溝を形成したことを特徴とする自動車用シートの物入れ装置。
【請求項４】
上記基板の左右の側縁に沿って、上記テーブル板の左右の側縁を摺動可能に受けるテーブル板支持部を形成した請求項３記載の自動車用シートの物入れ装置。
【発明の詳細な説明】
【０００１】
【発明の属する技術分野】
本発明は自動車のシート、特に折りたたみ式シートの物入れ装置に関するものである。
【０００２】
【従来の技術】
自動車の折りたたみ式シートには、シートバックを前方へ折りたたんで水平姿勢としたときに、その背面を物置きとして使用できるようにしたものや、シートバックが起立姿勢の通常時には、その背面を物入れとしても使用できるようにしたものがある。
【０００３】
図９は、この種のシートに設けた物入れ装置の代表例を示すもので、物入れ装置３は合成樹脂製で、平板状で外周に周壁３０２を設けた基板３０１と、基板３０１の下半部で対向する周壁３０２間にまたがって設けたカバー板３０３からなり、基板３０１とカバー板３０３との間で物入れ用ポケット部３０４を形成している。カバー板３０３は左右の両側が薄肉のインテグラルヒンジ３０５としてあり、かつカバー板３０３には飲料容器を挿入する穴３０６が形成してある。物入れ装置３は、基板３０１を折りたたみ式シートのシートバック（図略）の背面にねじ締め等により固定される（引用文献１参照）。
【０００４】
この物入れ装置３は、シートバック起立時にはポケット部３０４を本やチケット類等を入れる物入れとして利用できる。そしてシートバックを折りたたむと、カバー板３０３をカップホルダーとして利用でき、かつ基板３０１の上半部（前半部）を物置きとして利用できる。また、カバー板３０３の幅方向中央部を基板３０１側へ押し込んでインテグラルヒンジ３０５を反転させてカバー板３０３を基板３０１に重ね合せると、基板３０１の下半部も物置きとして利用できる。しかしながら荷物の載置面積は基板３０１内に限定される。
【０００５】
また折りたたみ式シートバックの物入れとして、シートバックの背面にその左右両縁および下縁に沿う部分を残して凹部を設け、シートバックの上縁に、幅が上記凹部に収納し得る寸法で長さがシートバックの高さのほぼ半分のテーブル板の上縁を回動可能に連結した構造のものが知られている（引用文献２参照）。
【０００６】
これによれば、シートバック起立時にはテーブル板を上記凹所の底面に重ね合わせた状態で収納し、シートバックを折りたたんでテーブル板を前方へ回動させてシートバックの前方へ延出する位置に設定することで、荷物載置面積をシートバックの前方へ拡大することができる。
【０００７】
【引用文献１】
実開平６０−７９５４号公報。
【引用文献２】
特開平１２−２６４１０７号公報。
【０００８】
【発明が解決しようとする課題】
ところで、引用文献２に記載の構造では、シートバック起立時、凹部の上半部に露見するテーブルが異物感を与え見栄えがよくない。またシートバック起立時に背面に物入れ部がない。なお、引用文献２のシートバックの背面の下半部に、引用文献１のカバー板に相当する部材を設けてポケット部を備えた構造にすることも考えられ得るが、凹部の上半部にはテーブル板が重ね合わされているから、ポケット部に凹部の上半部にまたがる長さの物品を挿し込んだときに物品の上部がテーブル板により押し出された形になってしまう。
【０００９】
そこで本発明は、シートバック起立時にシートバックの背面を物入れとして有効に利用することができ、シートバック折りたたみ時には、シートバックの背面よりも広い物置き面を形成することができ、そして見栄えもよい折りたたみ式シート用の物入れ装置を提供することを目的としてなされたものである。
【００１０】
【課題を解決するための手段】
請求項１の発明は、自動車の折りたたみ式シートのシートバックの背面に設置する物入れ装置であって、シートバックの背面に固定する物入れ本体は、平板状の基板の左右の側縁および下縁に沿って基板の表面側を囲む周壁を形成するとともに、基板の下半部には上記周壁間にまたがるカバー板を設けて該カバー板と上記基板との間に上端が開口するポケット部を形成してなり、上記基板の上半部には、上端が上記基板の上端に回動自在に連結されて上記上半部を覆う第１の位置と上記基板の上端から延出する第２の位置との間で回動可能な蓋体を設け、上記蓋体は、上記第１の位置で上記カバー板とほぼ面一に上記基板を覆って該基板との間に上記ポケット部と連通する物品収納空間を形成し、上記シートバックを折りたたんだときに上記第２の位置で上記基板を延長する物品載置面を形成する構造としたことを特徴とする。
【００１１】
請求項１の発明によれば、シートバックを折りたたんだとき、第２の位置とした蓋体により物品載置面を基板よりも拡大することができる。一方、シートバックの起立時には、第１の位置とした蓋体と基板との間にポケット部に連通する物品収納空間が形成され、下端がポケット部に挿しこまれた物品を安定に保持できる。また基板はほぼ面一のカバー板と蓋体でおおわれるから見栄えがよい。
【００１２】
請求項２の発明は、請求項１の発明における蓋体の周縁に沿って該蓋体を囲む縦縁部を形成するとともに、上記蓋体の少なくとも表面にこれを区画する仕切壁を形成したものである。シートバックを折りたたんだとき、第１の位置とした蓋体の表面に携帯電話やペン、カードなどの物品を蓋体外にずり落ちることなく載置保持することができる。
【００１３】
請求項３の発明は、自動車の折りたたみ式シートのシートバックの背面に設置する物入れ装置であって、シートバックの背面に固定する物入れ本体は、平板状の基板の左右の側縁および下縁に沿って基板を囲む周壁を形成するとともに、基板の下半部には上記周壁間にまたがるカバー板を設けて該カバー板と上記基板との間に上端が開口するポケット部を形成してなり、上記物入れ本体はその基板を上記シートバックの背面と間隙をおいて対向させて上記シートに設置し、上記基板の裏面に沿って平板状のテーブル板を、収納状態の第１の位置と上記基板の上端から延出する第２の位置との間で移動可能に設置し、かつ上記テーブル板の上端には該テーブル板の表面側へ突出する突出部を設けて、該突出部に上記表面に沿い上記ポケット部と対向する方向に開口する溝を形成したことを特徴とする。
【００１４】
請求項３の発明によれば、シートバックを折りたたんだとき、テーブル板を前方へ引き出すことにより、物品載置面を基板よりも拡大することができる。一方、シートバック起立時、シートバックの高さのほぼ全長にわたる長さで曲がりやすい物品をその下端部をポケット部に挿しこんで保持させた場合、物品の上端を基板の上端に形成した溝に挿し入れることで、物品を倒れることなく安定に保持することができる。
【００１５】
請求項４の発明は、請求項３の発明において、基板の左右の側縁に沿って、上記テーブル板の左右の側縁を摺動可能に受けるテーブル板支持部を形成することで、テーブル板をスムーズに引き出し、引き入れることができる。
【００１６】
【発明の実施の形態】
図１ないし図４は第１の実施形態を示すもので、図１に示すように、自動車の助手席シートのシートクッション１の上面に水平姿勢に折りたためるようにしたシートバック２の背面に物入れ装置４が設置してある。物入れ装置４は、基板４１１の下半部にポケット部４１２を形成した物入れ本体４１０と、蓋体４３０とからなる。
【００１７】
物入れ本体４１０は合成樹脂、例えばポリプロピレンの成形体であり、基板４１１は平板状で、シートバック２の背面の左右の側縁および上下の両縁に沿う部分を残した中央部を覆う大きさの矩形状に形成してある。基板４１１の左右の両側縁および下縁にはこれに沿って基板４１１の表面側を取り囲む周壁４１３が形成してある。
【００１８】
基板４１１の下半部には、基板４１１を覆い、左右の側縁および下縁が上記周壁４１３の上端縁に連結するカバー板４１４が設けてあり、このカバー板４１４と基板４１１との間に上端開口のポケット部４１２を形成している。カバー板４１４には左右両側に飲料容器を挿入する穴４１５が形成してある。またカバー板４１４の上端には乗員の手指を挿入し得る大きさの切欠き部４１６が形成してある。
【００１９】
蓋体４３０は、物入れ本体４１０と同材質の合成樹脂からなり、幅は物入れ本体４１０の左右の周壁４１３間に嵌入する寸法で長さは基板４１１の上半部を覆う長さとしてある。テーブル板４３０は全体として平板状で図４に示すように上端（前端）４３１は裏面側へ厚肉としてあり、端面は円弧状曲面に形成してある。蓋体４３０の外周には一般面に対してほぼ垂直の低い縦縁部４３２が形成してあり、長さ方向中央には左右の縦縁部４３２をつないで蓋体４３０の表面を上下に仕切る仕切部４３３が縦縁部４３２と同じ高さに形成してある。
【００２０】
蓋体４３０は、上端の左右両側が基板４１１の左右の周壁４１３の上端に回動自在に軸支せしめてあり、基板４１１に沿う第１の位置から基板４１１を上方（前方）へ延長する第２の位置との間で回動可能としてある。
【００２１】
図４に示すように、蓋体４３０の上端は裏面側へ厚肉としてあり、厚肉とした蓋体４３０の前端部の左右の端面には支軸４３４が突設してあり、各支軸４３４が基板４１１の左右の周壁４１３に形成した軸受穴４１８に軸支される。
【００２２】
上記周壁４１３の内側面には軸受穴４１８まわりにこれと同心に扇形の凹部４１９が形成してある。一方、蓋体４３０の前端部の左右両側の端面には支軸４３４まわりに、支軸４３４が軸受穴４１８に軸支された状態で上記凹部４１９に嵌合する扇形の凸部４３５が形成してある。上記凸部４３５の周方向の幅は上記凹部４１９の幅よりも小さくしてある。蓋体４３０はこれを上記第１の位置に回動させると蓋体４３０の左右の縦縁部４３２が基板４１１の左右の周壁４１３の内面に形成した段部４１７（図３，図４）に当接し蓋体４３０は上記第１の位置となって閉じられる。蓋体４３０は閉状態でその外周の縦縁部４３２が物入れ本体４１０のカバー板４１４および周壁４１３とほぼ面一となるように形成しあり、蓋体４３０と基板４１１との間にポケット部４１２と連通する物品収納空間が形成される。なお、蓋体４３０には下端（自由端）の左右の端面に小突起が形成してあり、基板４１１の左右の周壁４１３の内面には小穴が形成してあって、蓋体４３０は閉じられたときに上記小突起が上記小穴に嵌合してロックされるようにしてある。
【００２３】
また蓋体４３０は図３に示すように上方（前方）へ回動させると、図４に示す蓋体４３０の支軸４３４まわりの凸部４３５が基板周壁４１３の軸受穴４１８まわりの凹部４１９内を摺動する。そして蓋体４３０が基板４１１を延長する位置（第２の位置）まで回動したときに上記凹部４３５の周方向の一方の端面（ストッパ面）４３５ａが上記凹部４１９の周方向の一方の端面（ストッパ面）４１９ａに当接し、蓋体４３０がそれ以上回動しないようにしてある。
【００２４】
上記のように構成した物入れ装置４は、その基板４１１をシートバック２の背面にネジ部材で締結することによりシートバック２に取付けられる。
【００２５】
シートバック２起立時、後席シートの乗員は、図１に示すように蓋体４３０を開き、ポケット部４１２に物品Ｍ１  、例えば折りたたみ傘、携帯電話器、ペン、本等を入れることができる。蓋体４３０は閉じられるとカバー板３１４とほぼ面一に基板４１１を覆うからシートバック背面の見栄えがよい。またポケット部４１２に基板４１１の全長にわたる長い物品の下半部を収納したとき、その上半部は蓋体４３０に支えられるから安定である。
【００２６】
次に、図２に示すようにシートバック２を前方へ折りたたんでシートクッション１に重なる水平姿勢としたとき、カバー板４１４の穴４１５内に飲料容器Ｐを立てることでカップフォルダーとして利用することができる。また蓋体４３０は、その表面に縦縁部４３２や仕切部４３３が形成してあるから、携帯電話器やペン等の物品Ｍ２  を車両振動で蓋体４３０外にずり落ちることなく載置することができる。
【００２７】
次に、蓋体４３０で基板４１１の前方に物置きを形成するには、図３に示すように蓋体４３０を前方へ回動させると、基板４１１側の上記凹部４１９のストッパ面４１９ａに蓋体４３０側の凸部４３５のストッパ面４３５ａが当接し、かつ蓋体４３０の上端部がシートバック２の上端背面で支えられることで蓋体４３０は基板４１１を延長するほぼ水平姿勢に保持される。これにより蓋体４３０の裏面を、手荷物等の物品を載置するテーブルとして使用することができる。
【００２８】
図５ないし図８に第２の実施形態を示す。図５、図６に示すように自動車の折りたたみ式助手席シートのシートバック２の背面には物入れ装置５が設置してある。物入れ装置５は、基板５１１の下半部にポケット部５１２を形成した物入れ本体５１０と、基板５１１の裏面に沿って移動可能としたテーブル板５３０とからなる。
【００２９】
物入れ本体５１０は合成樹脂製で、長方形状の基板５１１の左右の側縁および下縁には表面側へ突出する周壁５１３が形成してある。基板５１１の下半部には左右の周壁５１３をまたぐカバー板５１４が設けてあり、カバー板５１４と基板５１１の下半部との間にポケット部５１２を形成している。カバー板５１４には飲料容器Ｐを挿入する穴５１５が形成してある。
【００３０】
シートバック２の背面には左右の側縁および下縁に沿って周壁２１が形成してあり、上記物入れ本体５１０はその周壁５１３をシートバック背面の周壁２１内に嵌込み、周壁５１３を上記周壁２１内に設けたフレーム部材にねじ締めする等の手段によりシートバック２に固定されている。
【００３１】
図６ないし図８に示すように、基板５１１はシートバック２の背面と若干の隙間をおいて対向している。基板５１１の左右の側縁にはこれに沿い、基板５１１の裏面側へ突出し、端縁が互いに対向する方向に屈曲する断面Ｌ字形のテーブル板支持部５１６が形成してある。テーブル板５３０は、その左右の側縁を上記テーブル板受け部５１６に挿通させることで基板５１１の裏面に沿い摺動可能に保持されている。
【００３２】
図６および図８に示すように、テーブル板５３０の上端部には表面側へ突出する突出部５３１が一体に形成してあり厚肉となっており、突出部５３１には上記ポケット部５１２と対向する側に全幅にわたり断面コ字形の溝５３２が形成してある。溝５３２の相対向する面の一方はテーブル板５３０の平板状の一般部の表面と共通面をなしている。
【００３３】
テーブル板５３０の一般部の長さは基板５１１とほぼ同一としてあり、テーブル板５３０を基板５１１の裏面に収納してテーブル板５３０の下端がシートバック２の下縁の周壁２１に当たったときに上端の溝５３２内に基板５１１の上端が入るようにしてある。
【００３４】
テーブル板５３０および物入れ本体５１０には、テーブル板５３０のほぼ２／３を基板５１１外に引き出したときに、それ以上の引き出しを阻止するストッパ手段が設けてある。ストッパ手段は基板５１１の上端からほぼ１／３の位置で左右のＬ字形の上記テーブル板支持部５１６の屈曲端縁間をつなぐように形成したブリッジ部材５３４とテーブル板５３０の下端縁中央で裏面側へ突出するストッパ部５３５からなり、図８に示すようにテーブル板５３０を引き出すときにストッパ部５３５がブリッジ部材５３４に当接することでテーブル板５３０の引き出し範囲が規制される。
【００３５】
上記のように構成した物入れ装置５において、シートバック起立時、後席シートの乗員はポケット部５１２に物品Ｍ３  を収納することができる。物品Ｍ３  の長さが基板５１１のほぼ全長にわたる長さの場合には、物品Ｍ３  の上端をテーブル板５３０の溝５３２内に挿入することで物品を倒れないように安定に保持することができる。
【００３６】
シートバック２をシートクッション１に沿う水平姿勢に倒し、テーブル板５３０を前方へ引き出すことにより、テーブル板５３０を基板５１１とともに物置きとして使用することができる。またテーブル板５３０の前端突出部５３１に凹部５３６を形成すればペン等の小物入れとして利用できる。また、穴５１５を設けたカバー板５１４はカツプホルダとして使用できる。
【００３７】
【発明の効果】
本発明のシート用物入れ装置によれば、シートバック起立時、装置のポケット部に物品を入れることができ、かつ物品を安定に保持することができ、また見栄えもよい。シートバックを折りたたんだときには、蓋体ないしはテーブル板を回動ないしは移動させることで、これらを広い面積の物置きとして利用することができる。また蓋体ないしテーブル板に小物類を転落することなく載置保持することができる。
【図面の簡単な説明】
【図１】本発明による第１の実施形態の物入れ装置の、シートバック起立時の斜視図である。
【図２】上記第１の実施形態の物入れ装置の、シートバック折りたたみ時の斜視図である。
【図３】上記第１の実施形態の物入れ装置の、シートバック折りたたみ時に蓋体を開いて物置きを形成した状態を示す斜視図である。
【図４】上記第１の実施形態の物入れ装置の、蓋体の軸支部の構造を示す分解斜視図である。
【図５】本発明による第２の実施形態の物入れ装置の、シートバック起立時の斜視図である。
【図６】上記第２の実施形態の物入れ装置の、シートバック折りたたみ時にテーブル板が引き出される状態を示す斜視図である。
【図７】図６に示す物入れ装置のＶＩＩ−ＶＩＩ線に沿う断面図である。
【図８】図６に示す物入れ装置のＶＩＩＩ  −ＶＩＩＩ  線に沿う断面図である。
【図９】従来の物入れ装置の斜視図である。
【符号の説明】
１  シートクッション
２  シートバック
３  従来の物入れ装置
４  本発明の第１の実施形態の物入れ装置
４１０  物入れ本体
４１１  基板
４１２  ポケット部
４１３  周壁
４１４  カバー板
４１５  飲料容器用穴
４１８  軸受穴
４３０  蓋体
４３２  縦縁部
４３３  仕切部
４３４  支軸
５  本発明の第２の実施形態の物入れ装置
５１０  物入れ本体
５１１  基板
５１２  ポケット部
５１４  カバー板
５１５  飲料容器用穴
５１６  テーブル板支持部
５３０  テーブル板
５３１  突出部
５３２  溝
５３５  ストッパ
【図１】
2004268866.tif 000003
【図２】
2004268866.tif 000004
【図３】
2004268866.tif 000005
【図４】
2004268866.tif 000006
【図５】
2004268866.tif 000007
【図６】
2004268866.tif 000008
【図７】
2004268866.tif 000009
【図８】
2004268866.tif 000010
【図９】
2004268866.tif 000011